(57)【要約】【課題】  食卓において中央のガスコンロで食事をする時に食材や調味料を相互に渡したりとったりしにくい場合がありまた食卓中央以外の食材・料理を共有しにくい。ガスコンロを使用しない時は、コンロが邪魔になり、その都度しまわなくてはならない。【解決手段】  市販の卓上ガスコンロを底板に取付た３方の下枠の内側に乗せその四隅に上向きに取付けたキャスター４カ所の上に環状の円板を乗せ回転可能であると共にガスコンロの四隅のゴトクの外面が環状の円板の内面に接する様にしてその板が中心からずれないような作りにした卓上ガスコンロ用回転テーブル台である。ガスを使用しない際にはガスコンロのゴトクの上に円形の蓋を置きディスプレイ台として使用できる様にする。【選択図】図１
2018020037.tif 000002
【特許請求の範囲】
【請求項１】
複数もしくは一人で食卓で料理を食べる際、中央に市販の卓上ガスコンロとそれを固定する（四隅に上向きにキャスターが取付られている）枠と底板でできた下台と、
卓上コンロのゴトクの上端より下にあるキャスターの車輪に環状の円板をのせ円板の内側が四カ所のゴトクに接することにより軸がぶれずに回転できる卓上ガスコンロ用回転テーブル台。
【請求項２】
卓上ガスコンロが火を使わない場合そのゴトクの上にガスコンロの蓋にもなりかつ料理等の演出が自由にできるにディスプレイ台を備えた卓上ガスコンロ用回転テーブル台。
【請求項３】
回転テーブルの裏側にモーターを取付、回転部分を手動ではなくで自動で回転させるスイッチを回転テーブルをはさんで向かい合わせに設けた自動の卓上ガスコンロ用回転テーブル台。
【発明の詳細な説明】
【技術分野】
【０００１】  本発明は、食卓の上に設置できる市販の卓上ガスコンロに回転する円板を一体に設けた卓上ガスコンロ付回転テーブル台である。
【背景技術】
【０００２】  現在家族や知人と複数で食事する場合、これまで食卓の上にはこれまで卓上ガスコンロやテーブルに埋め込みのガス台があるのみで、中央一カ所ではどうしても食材の置かれた位置によって取りにくかったり、個別に料理をだすとお皿の数が増えてしまいテーブルに乗りきらない場合がある。【０００３】  多様な料理をだす場合、食卓が雑然となる。【０００４】  市販の卓上ガスコンロは加熱性の料理をする以外は食卓に置くことは不要になり出し入れが手間になる。
【先行技術文献】
【特許文献】
【０００５】
【特許文献１】特開２００３−２５０６４０号  公報
【特許文献２】特願２０１４−１５７５５６号  公報
【発明の概要】
【発明が解決しようとする課題】
【０００６】  食卓において中央にガスコンロを置き鍋・すき焼き・串カツ・たこ焼き等食事をする時に食材や調味料を相互に渡したり、とったりしにくい場合があり、座っている位置で偏りがでたりする。【０００７】  食卓中央の料理のみが共有の料理として皆でとる事ができるが、そこに入れる食材やそれ以外の食材・料理を共有しにくい。【０００８】  市販の卓上ガスコンロを使用しない時は、コンロが邪魔になり、その都度しまわなくてはならないので手間がかかる。
【課題を解決するための手段】
【０００９】  本発明は上記事情を鑑みてなされたもので、なおかつ食卓上の料理の演出と食事自体の利便性と楽しさをより高めるもので、食卓中央に設置したガスコンロの回りに、それと一体になった卓上ガスコンロ用回転テーブル台を設ける。【００１０】  ガスコンロを使用しない時は、ガスコンロのゴトクの上にディスプレイ台を設置する。
【発明の効果】
【００１１】  席に座った誰もがテーブルを回転させることにより共有の食材・調味料等自由に手元にもってこれ、料理を手にすることが可能となる。子供やお年寄り等小柄な人が反対側にある手の届かない料理をすみやかに手元にもってくることができる。【００１２】  また小皿等にもった食材も回転させることにより共有して皆で食べる事も可能になり食事の演出の幅が大きくひろがり、楽しさが増す。【００１３】  ガスコンロを使わない時はその上にディスプレイ台を置くことによりガスコンロの出し入れが不要になるだけでなく、その上に様々な料理や花やキャンドルなどを置け様々な食卓の演出が可能になる。
【図面の簡単な説明】
【００１４】
【図１】本発明の実施形態を上部からみた概略図である。
【図２】回転テーブルを外した際のガスコンロと下台の平図面である。
【図３】本発明の  Ａ−Ａ’断面図である。
【図４】本発明の正面図（手動スイッチ側）である。
【図５】本発明の背面図である。
【図６】本発明の右側面図である。
【発明を実施するための形態】
【００１５】  本発明の卓上ガスコンロ付回転テーブルの実施形態を、以下図を参照して説明する。
本発明は図２の中央に市販の卓上ガスコンロ５とそれを固定する（四隅に上向きにキャスター４が取付られている）枠３と底板（図３の７）でできた下台と、
卓上コンロのゴトクの上端より下にあるキャスター４の車輪に環状の円板（図１の１）をのせ円板の内側が四カ所のゴトク８に接することにより軸がぶれずに回転できる（図３）卓上ガスコンロ用回転テーブル台。
【００１６】  卓上ガスコンロが火を使わない場合そのゴトク（図１の８、図３の８）の上にガスコンロの蓋にもなり、かつ料理等の演出が自由にできるにディスプレイ台（図１の２、図３の２）を備えた卓上ガスコンロ用回転テーブル。
【００１７】  回転テーブルの裏側にモーターを取付、回転部分を手動ではなくで自動で回転させるスイッチを回転テーブルをはさんで向かい合わせに設けた自動の卓上ガスコンロ用回転テーブル台。
【符号の説明】
【００１８】１  回転テーブル（環状の円板）
２  ディスプレイ台（ガスコンロ蓋）
３  下枠
４  キャスター
５  ガスコンロ
６  ガスコンロスイッチ
７  底板
８  ゴトク
【図１】
2018020037.tif 000003
【図２】
2018020037.tif 000004
【図３】
2018020037.tif 000005
【図４】
2018020037.tif 000006
【図５】
2018020037.tif 000007
【図６】
2018020037.tif 000008
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
中央の卓上ガスコンロに、それを固定する枠と底板でできた下台と、その枠の四隅に上向きにキャスターを取付、その上にのせた環状の円板で構成され、卓上コンロのゴトクの上端より下にあるキャスターの車輪に環状の円板をのせ円板の内側が四カ所のゴトクの外面に接することにより軸がぶれずに回転できるようにした卓上ガスコンロ用回転テーブル台。
【請求項２】
請求項１に記載の卓上ガスコンロ用回転テーブル台において、ガスコンロで火を使わない場合そのゴトクの上にガスコンロの蓋にもなりかつ料理等の演出が自由にできるにディスプレイ台を備えた卓上ガスコンロ用回転テーブル台。
【請求項３】
請求項１に記載の卓上ガスコンロ用回転テーブル台において、回転テーブルの裏側にモーターを取付、回転部分を手動ではなくで自動で回転させるスイッチを回転テーブルをはさんで向かい合わせに設けた自動の卓上ガスコンロ用回転テーブル台。
【手続補正２】
【補正対象書類名】明細書
【補正対象項目名】０００５
【補正方法】変更
【補正の内容】
【０００５】
【特許文献１】特開２００３−２５０６４０号公報
【特許文献２】特開２０１６−３４３１３号公報